(57)【要約】  無線通信システムで使用される無線電子デバイス（１９００）について記載する。無線電子デバイスは、基地局によってサービングされている地理的エリア内の人物を検出することと、基地局によってサービングされている地理的エリア内の人物を検出することに応じて、ＵＥと通信することを含む動作を実施する。ＵＥは、基地局によってサービングされている地理的エリア内の人物に関連付けられる。関連する方法が開示される。
2020530727.tif 000002
【特許請求の範囲】
【請求項１】
無線通信システムで使用される無線電子デバイス（１９００）であって、
基地局（１００）によってサービングされている地理的エリア内の人物を検出する（３１０）ことと、
前記基地局（１００）によってサービングされている前記地理的エリア内の前記人物を検出することに応じて、ユーザ端末であるＵＥ（１９０）と通信する（３２０）ことと、
を含む動作を実施するように構成され、
前記ＵＥ（１９０）は、前記基地局（１００）によってサービングされている前記地理的エリア内の前記人物と関連付けられる、
無線電子デバイス。
【請求項２】
前記基地局（１００）によってサービングされている前記地理的エリア内の前記人物を検出することは、
前記基地局（１００）によってサービングされている前記地理的エリア内にいる前記人物を認識する画像認識を実施する（４１０）ことを含む請求項１に記載の無線電子デバイス。
【請求項３】
前記ユーザ端末と通信することは、
前記画像認識によって認識された前記人物に極めて近接したエリア内の前記ＵＥ（１９０）をスキャンする（５１０）ことと、
前記ＵＥ（１９０）と前記人物を関連付ける（５２０）こととを含む請求項２に記載の無線電子デバイス。
【請求項４】
前記ＵＥ（１９０）と前記人物を関連付けることは、
前記ＵＥ（１９０）と前記基地局（１００）との間の通信のための接続を確立する（６１０）ことと、
通信のための前記接続を前記人物と関連付ける（６２０）こととを含む請求項３に記載の無線電子デバイス。
【請求項５】
前記ＵＥ（１９０）をスキャンすることは、
認識された前記人物に極めて近接した前記エリアでビームスイープを実施する（７１０）ことを含み、
前記ビームスイープが、前記基地局（１００）による伝送および／または受信のために利用可能なビーム角のフルセットから、前記人物に極めて近接した前記エリアに対応するビーム角に縮小したセットで実施される請求項３または４のいずれか１項に記載の無線電子デバイス。
【請求項６】
前記ＵＥ（１９０）をスキャンすることは、
前記基地局（１００）によってサービングされているエリアの従来のビームスイープの周波数よりも高い周波数で認識された前記人物に極めて近接した前記エリアでビームスイープを実施する（８１０）ことを含む請求項３乃至５のいずれか１項に記載の無線電子デバイス。
【請求項７】
前記無線電子デバイスは、
前記人物が、前記人物に関連付けられた登録済みＵＥ（１９０）を所持していないと判断する（９１０）ことをさらに含む動作を実施するように構成され、
前記ＵＥ（１９０）をスキャンすることは、前記人物が前記人物に関連付けられた前記登録済みＵＥ（１９０）を所持していないと判断することに応じて行われる請求項３乃至６のいずれか１項に記載の無線電子デバイス。
【請求項８】
前記基地局（１００）は、第１基地局（１００）を含み、
前記無線電子デバイスは、前記人物が前記第１基地局（１００）によってサービングされている前記地理的エリアを離れると判断する（１０１０）ことと、
前記人物が前記第１基地局（１００）によってサービングされている前記地理的エリアを離れると判断することに応じて、前記第１基地局（１００）とは異なる第２基地局（１００）へのハンドオーバを実施する（１０２０）こととをさらに含む動作を実施するように構成される請求項１乃至７のいずれか１項に記載の無線電子デバイス。
【請求項９】
前記人物が前記第１基地局（１００）によってサービングされている前記地理的エリアを離れると判断することは、
前記基地局（１００）によってサービングされている前記地理的エリア内にいる前記人物を認識する画像認識を実施する（１１１０）ことと、
認識された前記人物の移動の方向、移動の角度、および／または速度を判断する（１１２０）ことと、
前記画像認識、および前記人物の移動の方向、移動の角度、および／または速度を判断することに基づいて、前記人物が前記第１基地局（１００）によってサービングされている前記地理的エリアを離れると推定する（１１３０）こととを含む請求項８に記載の無線電子デバイス。
【請求項１０】
前記人物が前記地理的エリアを離れると推定することは、１人または複数人の他の人物およびそれらのそれぞれのユーザ端末に関連したデータに基づく機械学習を適用することによって、前記人物が前記地理的エリアを離れると予測する（１２１０）ことを含む請求項９に記載の無線電子デバイス。
【請求項１１】
前記基地局（１００）によってサービングされている前記地理的エリア内の前記人物を検出することは、
前記人物が前記基地局（１００）によってサービングされている前記地理的エリア内にいることを特定するために、レーザー認識、超音波イメージング、レーダーイメージング、または熱感知認識の少なくとも１つを実施する（１３１０）ことを含む請求項１乃至１０のいずれか１項に記載の無線電子デバイス。
【請求項１２】
前記無線電子デバイスは、
前記基地局（１００）による前記ＵＥ（１９０）との通信の後に、前記人物が前記基地局（１００）によってサービングされている前記地理的エリア内にもはやいないことを特定する（１４１０）ことと、
前記人物が前記基地局（１００）によってサービングされている前記地理的エリア内にもはやいないことを特定した後に、タイムアウト期間をセットする（１４２０）ことと、
前記タイムアウト期間が満了する前の前記基地局（１００）によってサービングされている前記地理的エリア内の前記人物の再検出に基づいて、前記ＵＥ（１９０）との通信を続けるように、前記人物が前記基地局（１００）によってサービングされている前記地理的エリアを出ていないと判断する（１４３０）ことと、
前記タイムアウト期間の満了に基づいて、前記人物が前記基地局（１００）によってサービングされている前記地理的エリアを出たと判断する（１４４０）ことと、
前記人物が前記基地局（１００）によってサービングされている前記地理的エリアを出たと判断することに応じて、前記ＵＥ（１９０）との通信を中断する（１４５０）ことと、をさらに含む動作を実施するように構成される請求項１乃至１１のいずれか１項に記載の無線電子デバイス。
【請求項１３】
前記無線電子デバイスは、前記タイムアウト期間の満了の前に、前記基地局（１００）によってサービングされている前記エリアの従来のビームスイープの周波数よりも高い周波数でビームスイープを実施する（１５１０）ことをさらに含む動作を実施するように構成される請求項１２に記載の無線電子デバイス。
【請求項１４】
前記人物が前記基地局（１００）によってサービングされている前記地理的エリアを出ていないと選択的に判断することは、前記ビームスイープの実施を前記従来のビームスイープの前記周波数に減らす（１６１０）ことを含む請求項１３に記載の無線電子デバイス。
【請求項１５】
前記人物が前記基地局（１００）によってサービングされている前記地理的エリアを出たと選択的に判断することは、
１人または複数人の他の人物が前記基地局（１００）によってサービングされている前記地理的エリア内にいるかどうかを判断する（１７１０）ことと、
前記基地局（１００）によってサービングされている前記地理的エリア内に人がいないと判断することに応じて、前記基地局（１００）をスリープモードに選択的に設定する（１７２０）こととを含む請求項１２乃至１４のいずれか１項に記載の無線電子デバイス。
【請求項１６】
前記ＵＥ（１９０）と通信することは、
前記画像認識から識別されたパラメータに基づいて、前記ＵＥ（１９０）との通信のための前記基地局（１００）のアンテナ構成を選択する（１８１０）ことを含む請求項２乃至１５のいずれか１項に記載の無線電子デバイス。
【請求項１７】
前記ＵＥ（１９０）は、前記基地局（１００）によってサービングされている前記地理的エリア内の前記人物に対して登録される請求項１乃至１６のいずれか１項に記載の無線電子デバイス。
【請求項１８】
無線通信システムでユーザ端末であるＵＥ（１９０）と通信する方法であって、
アンテナモジュールに関連付けられた基地局（１００）によってサービングされている地理的エリア内の人物を検出する（３１０）ことと、
前記基地局（１００）によってサービングされている前記地理的エリア内の前記人物を検出することに応じて、前記ＵＥ（１９０）と通信する（３２０）こととを含み、
前記ＵＥ（１９０）は、前記基地局（１００）によってサービングされている前記地理的エリア内の前記人物と関連付けられる方法。
【請求項１９】
前記基地局（１００）によってサービングされている前記地理的エリア内の前記人物を検出することは、前記基地局（１００）によってサービングされている前記地理的エリア内にいる前記人物を認識する画像認識を実施する（４１０）ことを含む請求項１８に記載の方法。
【請求項２０】
検出された前記人物に極めて近接した前記エリアでビームスイープを実施する（７１０）ことをさらに含み、
前記ビームスイープは、前記無線電子デバイスによる伝送および／または受信のために利用可能なビーム角のフルセットから、前記人物に極めて近接した前記エリアに対応するビーム角に縮小したセットで実施される請求項１８に記載の方法。
【発明の詳細な説明】
【技術分野】
【０００１】
本明細書に記載される種々の実施形態は、無線通信システムにおける方法および装置に関し、より詳しくは、無線通信システム内の人物を特定することに基づく通信に関する。
【背景技術】
【０００２】
ミリ波技術は、高い通信スループットを実現するために、現在の無線通信システムにおいて重要な役割を果たしている。しかし、ミリ波技術で使用される高周波は、物理的物体に起因する干渉および／または障害を受けやすい。具体的には、高周波で動作する基地局は、ユーザ端末（User  Equipment：ＵＥ）と通信するときに干渉を受けるか、またはＵＥとの通信が断続的に失われることがある。高周波無線通信システムにおける通信を改善する解決策について後述する。
【発明の概要】
【発明が解決しようとする課題】
【０００３】
本明細書に記載される種々の実施形態は、無線通信システムにおけるユーザ端末（ＵＥ）との通信方法を提供する。方法は、基地局によってサービングされている地理的エリア内の人物を検出すること、および基地局によってサービングされている地理的エリア内の人物を検出することに応じて基地局がＵＥに通信することを含む。ＵＥは、基地局によってサービングされている地理的エリア内の人物に関連付けられる。
【課題を解決するための手段】
【０００４】
いくつかの実施形態では、基地局によってサービングされている地理的エリア内の人物を検出することは、基地局によってサービングされている地理的エリア内にいる人物を認識する画像認識の実施を含んでよい。
【０００５】
方法は、画像認識で認識された人物に極めて近接したエリアにあるＵＥをスキャンすること、およびＵＥと人物を関連付けることを含む。ＵＥと人物との関連付けは、ＵＥと基地局との通信のための接続を確立すること、および人物との通信のための接続を関連付けることを含む。ＵＥをスキャンすることは、認識された人物に極めて近接したエリアでのビームスイープを実施することを含んでよい。ビームスイープは、基地局による伝送および／または受信のために利用可能なビーム角のフルセットから、人物に極めて近接したエリアに対応するビーム角に縮小したセットで実施されてよい。
【０００６】
いくつかの実施形態では、ＵＥをスキャンすることは、基地局によってサービングされているエリアの従来のビームスイープの周波数よりも高い周波数で、認識された人物に極めて近接したエリアでのビームスイープの実施を含んでよい。方法は、人物がその人物に関連付けられた登録済みＵＥを所持していないと判断することを含んでよい。ＵＥをスキャンすることは、人物がその人物に関連付けられた登録済みＵＥを所持していないと判断することに応じて行われてもよい。
【０００７】
いくつかの実施形態では、基地局は、第１基地局である。方法は、人物が第１基地局によってサービングされている地理的エリアを離れると判断すること、および人物が第１基地局によってサービングされている地理的エリアを離れると判断することに応じて第１基地局とは異なる第２基地局へのハンドオーバを実施することをさらに含んでよい。人物が第１基地局によってサービングされている地理的エリアを離れると判断することは、基地局によってサービングされている地理的エリア内にいる人物を認識する画像認識を実施することと、認識された人物の移動の方向、移動の角度、および／または速度を判断することと、画像認識、および人物の移動の方向、移動の角度、および／または速度を判断することに基づいて、人物が第１基地局によってサービングされている地理的エリアを離れると推定することとを含んでよい。人物が地理的エリアを離れると推定することは、１人または複数人の他の人物およびそれらのそれぞれのユーザ端末に関連したデータに基づく機械学習を適用することによって、人物が地理的エリアを離れると予測することを含んでよい。基地局によってサービングされている地理的エリア内の人物を検出することは、人物が基地局によってサービングされている地理的エリア内にいることを特定するために、レーザー認識、超音波イメージング、レーダーイメージング、または熱感知認識のうちの少なくとも１つを実施することを含んでよい。
【０００８】
いくつかの実施形態では、方法は、基地局によるＵＥとの通信の後に、人物が基地局によってサービングされている地理的エリア内にもはやいないことを特定することを含んでよい。人物が基地局によってサービングされている地理的エリア内にもはやいないことの特定の後に、タイムアウト期間が設定されてもよい。タイムアウト期間の満了に基づいて、人物が基地局によってサービングされている地理的エリアを出たと選択的に判断されてよい。人物が基地局によってサービングされている地理的エリアを出たという選択的な判断に応じて、ＵＥとの通信は中断されてよい。タイムアウト期間が満了する前の基地局によってサービングされている地理的エリア内の人物の再検出に基づいて、ＵＥとの通信を続けるように、人物が基地局によってサービングされている地理的エリアを出ていないと選択的に判断されてよい。
【０００９】
いくつかの実施形態では、タイムアウト期間の満了の前に、ビームスイープが、基地局によってサービングされているエリアの従来のビームスイープの周波数よりも高い周波数で実施されてよい。人物が基地局によってサービングされている地理的エリアを出ていないと選択的に判断することは、ビームスイープの実施を従来のビームスイープの周波数に減らすことを含んでもよい。人物が基地局によってサービングされている地理的エリアを出たと選択的に判断することは、１人または複数人の他の人物が基地局によってサービングされている地理的エリア内にいるかどうかを判断すること、および基地局によってサービングされている地理的エリア内に人がいないと判断することに応じて、基地局をスリープモードに選択的に設定することを含んでよい。
【００１０】
ＵＥとの通信は、画像認識から識別されたパラメータに基づいて、ＵＥとの通信のための基地局のアンテナ構成を選択することを含んでよい。ＵＥは、基地局によってサービングされている地理的エリア内の人物に対して登録されてよい。
【００１１】
本明細書に記載される種々の実施形態により、無線通信システムで使用される無線電子デバイスを提供することができる。無線電子デバイスは、アンテナモジュールに関連付けられた基地局によってサービングされている地理的エリア内の人物を検出すること、基地局によってサービングされている地理的エリア内の人物を検出することに応じて、アンテナモジュールがＵＥと通信することを含む動作を実施するように構成されるアンテナモジュールを含む。ＵＥは、基地局によってサービングされている地理的エリア内の人物と関連付けられてよい。
【００１２】
いくつかの実施形態では、アンテナモジュールに関連付けられた基地局によってサービングされている地理的エリア内の人物を検出することは、基地局によってサービングされている地理的エリア内にいる人物を認識する画像認識の実施を含んでよい。いくつかの実施形態では、アンテナモジュールは、検出された人物に極めて近接したエリアでビームスイープを実施することを含む動作を実施するようにさらに構成されてよい。ビームスイープは、アンテナモジュールによる伝送および／または受信のために利用可能なビーム角のフルセットから、人物に極めて近接したエリアに対応するビーム角に縮小したセットで実施されてよい。
【００１３】
一実施形態に関して記載される進歩性を備えた概念の態様は、相関的に特に記載はされていないが、異なる実施形態に取り入れられる場合があることに注意されたい。すなわち、すべての実施形態および／または任意の実施形態の特徴は、任意の方法および／また組合せで組み合わせることができる。本明細書に記載される実施形態のいずれかに従うその他の動作が、実施されてよい。進歩性を備えた概念のこれらのおよび他の態様が、以下で述べられる明細書において詳細に記述される。
【図面の簡単な説明】
【００１４】
【図１】図１は、本明細書に記載される種々の実施形態に従う、基地局と人物に関連付けられたユーザ端末との間の通信を示す図である。
【図２】図２は、本明細書に記載される種々の実施形態に従う、基地局と人物に関連付けられたユーザ端末との間の通信を示す図である。
【図３】図３は、本明細書に記載される種々の実施形態に従う、無線通信システムにおけるユーザ端末との通信のための動作のフローチャートである。
【図４】図４は、本明細書に記載される種々の実施形態に従う、無線通信システムにおけるユーザ端末との通信のための動作のフローチャートである。
【図５】図５は、本明細書に記載される種々の実施形態に従う、無線通信システムにおけるユーザ端末との通信のための動作のフローチャートである。
【図６】図６は、本明細書に記載される種々の実施形態に従う、無線通信システムにおけるユーザ端末との通信のための動作のフローチャートである。
【図７】図７は、本明細書に記載される種々の実施形態に従う、無線通信システムにおけるユーザ端末との通信のための動作のフローチャートである。
【図８】図８は、本明細書に記載される種々の実施形態に従う、無線通信システムにおけるユーザ端末との通信のための動作のフローチャートである。
【図９】図９は、本明細書に記載される種々の実施形態に従う、無線通信システムにおけるユーザ端末との通信のための動作のフローチャートである。
【図１０】図１０は、本明細書に記載される種々の実施形態に従う、無線通信システムにおけるユーザ端末との通信のための動作のフローチャートである。
【図１１】図１１は、本明細書に記載される種々の実施形態に従う、無線通信システムにおけるユーザ端末との通信のための動作のフローチャートである。
【図１２】図１２は、本明細書に記載される種々の実施形態に従う、無線通信システムにおけるユーザ端末との通信のための動作のフローチャートである。
【図１３】図１３は、本明細書に記載される種々の実施形態に従う、無線通信システムにおけるユーザ端末との通信のための動作のフローチャートである。
【図１４】図１４は、本明細書に記載される種々の実施形態に従う、無線通信システムにおけるユーザ端末との通信のための動作のフローチャートである。
【図１５】図１５は、本明細書に記載される種々の実施形態に従う、無線通信システムにおけるユーザ端末との通信のための動作のフローチャートである。
【図１６】図１６は、本明細書に記載される種々の実施形態に従う、無線通信システムにおけるユーザ端末との通信のための動作のフローチャートである。
【図１７】図１７は、本明細書に記載される種々の実施形態に従う、無線通信システムにおけるユーザ端末との通信のための動作のフローチャートである。
【図１８】図１８は、本明細書に記載される種々の実施形態に従う、無線通信システムにおけるユーザ端末との通信のための動作のフローチャートである。
【図１９】図１９は、本明細書に記載される種々の実施形態に従う、無線電子デバイスのブロック図である。
【図２０】図２０は、本明細書に記載される種々の実施形態に従う、無線電子デバイスのブロック図である。
【発明を実施するための形態】
【００１５】
種々の実施形態を、添付の図面を参照しながら、以下でより詳細に述べる。その他の実施形態が、いくつかの異なる形態をとる場合があり、本明細書で述べられる実施形態に制限されると解釈されるべきではない。同じ番号は全体を通して同じ要素を示す。
【００１６】
ミリメートル波（Extremely  High  Frequency：ＥＨＦ）は、３０〜３００ギガヘルツ（Gigahertz：ＧＨｚ）電磁スペクトルにおける無線周波数帯域向けの国際電気通信連合（International  Telecommunications  Union：ＩＴＵ）指定のものである。ＥＨＦは、センチメートル波帯域と、テラヘルツギャップと呼ばれることもある遠赤外帯域との間にある。この帯域における電波は、１０〜１ミリメートルの波長を有し、ミリメートル帯域またはミリ波という名前が付けられ、「ＭＭＷ」または「ｍｍＷ」と略記されることもある。３ＧＰＰ  ５Ｇのシステムのような最新の通信システムは、ミリ波技術を含む。
【００１７】
ミリ波は、見通し線経路によって伝播することがあり、典型的には電離層による反射がない。ミリ波は通常、低周波電波がするような地上波として地球に沿って伝わることはない。典型的な出力密度において、ミリ波は建物の壁によって遮られる場合があり、葉などの景観物を通過する際に、著しい減衰を被ることがある。大気ガスによる吸収が、ミリメートル帯域の一部分では重大な要素であることがあり、この吸収は周波数と共に増加する場合がある。しかし、ミリメートル方向の著しい吸収は、主として、６０ＧＨｚでの酸素、および２４ＧＨｚおよび１８４ＧＨｚでの水蒸気などのいくつかの特定の吸収線で発生することがある。これらの吸収ピーク間のウインドウ内の周波数において、ミリ波は、吸収線間のこれらのウインドウにおける周波数が通信アプリケーションで使用できるような、より少ない大気減衰とより広い範囲とを有する。例えば、５Ｇシステムの様々な実施態様が２４ＧＨｚ〜４４ＧＨｚのスペクトルを使用する場合がある。
【００１８】
５Ｇシステムでのこれらの高周波では、信号は、従来の３Ｇおよび４Ｇの通信システムよりも高い度合で、物理的物体によって妨げられるおよび／または減衰される可能性がある。基地局がユーザ端末（ＵＥ）との継続的なコンタクトを持続することを妨害する障害物に起因するシャドウイングの影響が発生する場合がある。ＵＥが位置することになりそうな場所を予測し、ハンドオーバを決定し、および／またはＵＥが完全にカバレッジから離れていると見なすときに、時間およびリソースが通信システムによって消費される場合がある。
【００１９】
本明細書に記載される種々の実施形態は、５Ｇ通信システムでミリ波技術を採用する場合に、改良された方法が基地局とＵＥとの間の通信のより良好なセットアップおよび持続のために必要とされているという認識から生じることがある。具体的には、ＵＥがシャドウイングの影響を受けるときの通信のセットアップおよび持続を改善するために、人間の統合画像認識を用いるイメージセンサを使用する解決策を詳細に説明する。イメージセンサは、通信環境内の人間を検出し、ＵＥを検出、登録および／またはＵＥとの通信時に基地局を支援する情報を提供してよい。
【００２０】
イメージセンサは、基地局によって取り扱われる地理的エリア内の人間または人物を認識する画像認識能力を提供する。イメージセンサは、基地局と連結されるか、または基地局によって取り扱われる地理的エリア内にまたは周辺に効果的に配置されてよい。イメージセンサは基地局の一部として、または別々のデバイスとして、統合ハードウェアおよび／またはソフトウェアと共に実装されてよい。イメージセンサは、防犯カメラ、広角カメラ、狭角カメラおよび／または立体カメラを含んでよい。センサは、人物が基地局のカバレッジゾーンに出入りするときに登録してもよく、その人物の位置、移動方向、速度などを追跡してよい。人物は、１つまたは複数のＵＥを所持している可能性がある。本明細書で使用するとき、用語「ＵＥ」は、無線通信デバイス、ターゲットデバイス、デバイスツーデバイス（Device  To  Device：Ｄ２Ｄ）ＵＥ、マシンタイプＵＥまたはマシンツーマシン（Machine  To  Machine：Ｍ２Ｍ）通信対応ＵＥ、ＵＥに搭載されるセンサ、タブレット、移動端末、スマートフォン、ラップトップ組込型機器（Laptop  Embedded  Equipped：ＬＥＥ）、ラップトップ搭載型機器（Laptop  Mounted  Equipment：ＬＭＥ）、ＵＳＢドングル、加入者宅内機器（Customer  Premises  Equipment：ＣＰＥ）などを含み、また、時間で変動するまたは固定の地理的座標を有することがある、ならびに／または、携帯可能、移動可能、車両に設置される（航空、海上、または陸上ベース）、および／または、局所で動作するように配置され、または構成され、あるいはその両方が行われる、および／または、１つまたは複数の地球上のものまたは地球外の場所、あるいはその両方にわたって分散されるようなものであってもよい任意の他の放射するユーザデバイスを含む。最後に、用語「基地局」は、１つまたは複数のユーザ端末および／またはコアネットワークと通信するように構成された任意の固定、携帯可能および／または移動可能デバイスを含み、かつ、例えば、ノード、地上セルラー基地局（マイクロセル、ピコセル、無線アクセスポイントおよび／またはアドホック通信アクセスポイントを含む）および衛星を含む。
【００２１】
カバレッジゾーンに入った新しいＵＥと接続するべきかどうかを判断するために、ＵＥを持ち歩いている関連付けられた人物がカバレッジゾーンを離れた場合にそのＵＥが基地局のカバレッジゾーンから完全に離れていると見なされるべきかどうかを判断するために、または他の基地局へのハンドオーバが実施されるべきかどうかを判断するために、人物についての認識および／または情報が基地局によって使用されてよい。人物の認識により、人物が検出されたエリアがＵＥが位置するエリアとなる可能性があるという理由から、基地局はこのエリアでのビームスイープの周波数を増やしてもよい。さらに、人物および／またはＵＥが以前に位置していたが、消えて、かつシャドウイングの影響により再び現れる可能性のあるところの近くのエリアで、ビームスイープの周波数を増やしてもよい。認識されている人物に基づいてビームスイーピングの周波数を増やすことで、ＵＥへの通信チャネルを提供するための時間／遅延を低減することにより、システム内のＵＥの検出を改善する効果がある。
【００２２】
図１は、１つまたは複数のＵＥと通信している基地局を含む無線通信システムでのセルを示す。図１をここで参照すると、基地局１００は、セル１１０内の地理的エリア内に位置し、かつそれをサービングしてよい。基地局などのデバイスとＵＥなどのモバイルデバイスとの２つの間の無線通信は、ＵＥのアンテナと基地局との間で伝送されるデータ信号を含む。これらの信号は、指向性があるものであってよく、１つのデバイスから他方へ位置合わせされているビームで伝送されてよい。複数のビームが、基地局とＵＥとの間で信号を伝送するために利用可能であってよい。様々な基準に基づいて利用可能な指向性ビームの種々のものを評価して選択するために、ビームスイーピングを行ってもよい。
【００２３】
さらに図１を参照すると、基地局１００はユーザ端末１９０と通信してよい。本明細書で使用するときに、ユーザ端末１９０は、図１および／または図２のユーザ端末１９０ａ〜１９０ｊのいずれかを指すために使用される場合がある。同様に、人物１２０は、図１および／または図２の人物１２０ａ〜１２０ｊのいずれかを指すために使用される場合がある。セル内の様々な場所におけるユーザ端末１９０ａ〜１９０ｅは、基地局１００からそれぞれのビーム角で伝送される１つまたは複数のビーム１３０ａ〜１３０ｇを使用してよい。例えば、人物１２０ａは、基地局１００によって検出されてよい。基地局によってサービングされている地理的エリア内の人物の画像認識を使用して、人物の検出は実行されてよい。人物１２０ａを認識するとすぐに、基地局は、認識された人物１２０ａに極めて近接したエリアをスキャンしてもよい。人物を認識することは、人間がエリア内にいるという大まかな理解を含むか、および／または特定の人間を認識することを伴ってもよい。基地局および／または関連するネットワークは、特定の人間によって使用されるユーザ端末に関する情報を有してもよい。人物１２０ａの近接エリアをスキャンすることは、モバイルデバイスが広範囲に存在するために、人物が、ポケット、ブリーフケース、ハンドバッグまたはバックパックの中、車両の中、または建物内の場合は机またはテーブルの近くなどの極めて近くでＵＥまたは他のモバイルデバイスを所持している可能性があるという、前提に基づく。人物の近くのスキャンがＵＥ１９０ａの識別を得る場合、ＵＥ１９０ａは人物１２０ａと関連付けられる。したがって、人物を検出して、次に、ＵＥを探すためにその検出を使用することは、基地局が、検出された人物の付近全体でＵＥを探すことができるので、より速いＵＥの登録および／またはＵＥとの通信を提供する。
【００２４】
いくつかの実施形態では、人物を認識するとすぐに、基地局は人物の近くでビームスイープを実施してよい。ビームスイープは、利用可能なビームのサブセットに限定されてもよい。人物の近くとは、半径２メートル、もしくは人がその中に位置している部屋または車両内などの人物を取り囲む小さなエリアを含んでよい。例えば、人物１２０ａを認識するとすぐに、基地局１００は、ビーム１３０ａおよび／または１３０ｂを使用して人物１２０ａの近くをスキャンしてもよい。ビーム１３０ａおよび／または１３０ｂは、人物１２０ａの近くのエリアにある基地局１００に対するビーム角を有する。ビームは、パイロットビームまたはパイロット信号を含んでよい。
【００２５】
いくつかの実施形態では、信号を減衰するかまたはユーザ端末１９０ｃを遮る物理的障壁１６０が、周囲に存在する場合がある。物理的障壁１６０には、葉および建物などの環境地物、大気ガス、水蒸気、またはデスク、ハンドバッグ、本などの物理的物体を挙げてよい。物理的障壁１６０は、基地局１００からＵＥ１９０ｂまたは１９０ｃへの信号を減衰または遮る「影」をもたらす場合がある。場合によっては、ＵＥのユーザである人物または他の人物が、基地局１００とＵＥ１９０との間に位置することで、信号の減衰および／または妨害をもたらすこともある。したがって、人物が、図１の物理的障壁１６０として作用する場合がある。物理的障壁１６０は、基地局が物理的障壁１６０の背後にいる人物１２０ｃを検出および／または認識するのを遮断する。これらの場合、人物１２０ｃは、基地局１００に関連付けられたイメージセンサによって以前に認識されていた可能性もあるが、人物１２０ｃは物理的障壁１６０の後ろを歩いた可能性もある。したがって、人物１２０ｃは、依然として基地局１００によって取り扱われる地理的エリア内にいる可能性があり、物理的障壁１６０の後ろから、再度、突然現れることもある。この場合、基地局１００は、人物１２０ｃが基地局１００によって取り扱われる地理的エリア内でもはや見えないと特定し、その後にタイムアウト期間をセットしてもよい。言い換えると、タイムアウト期間は、基地局が、ＵＥがその後で再び見えるようになる短時間のみしかＵＥの可視性を失っていないことを確実にするための待機期間である。タイムアウト期間が満了する場合、基地局１００は、人物１２０ｃが基地局１００によってサービングされている地理的エリアを出たと推断してよい。基地局１００が、人物１２０ｃが地理的エリアまたはセル１００を出たと推断する場合、基地局１００は、人物１２０ｃと関連付けられたＵＥ１９０ｃとの通信を中断してよい。タイマが満了する前に、人物１２０ｃが基地局１００によって地理的エリアまたはセル１１０内で再検出される場合、人物１２０ｃは、基地局１００によってサービングされる地理的エリア／セル１１０を出ていない。この場合、基地局１００は、ＵＥ１９０ｃとの通信を続けてもよい。
【００２６】
さらに図１を参照すると、物理的障壁１６０は、基地局１００からＵＥ１９０ｂへの信号を減衰または遮る「影」をもたらすが、ＵＥ１９０ｂと関連付けられた人物１２０ｂの認識を妨げない場合がある。この場合、基地局１００は、ＵＥ１９０ｂとの通信を失うこともあるが、依然として人物１２０ｂが基地局１００によってサービングされているセル１１０内にいることを認識していてもよい。基地局１００は、人物１２０ｂがそれらに関連付けられたＵＥを依然として所持していることを想定してもよく、および／または、以前に関連付けられたＵＥ１９０ｂが依然として人物１２０ｂに極めて近接していると想定してもよい。基地局は、電源が入っているＵＥ１９０ｂへの以前の接続を維持していてもよく、および／または基地局１００がその中でＵＥ１９０が再び現れると予想するタイムアウト期間をセットしてもよい。この場合、基地局１００は、１９０ｂが依然としてセル１１０内にいると適度に確信しているので、基地局１００は、ＵＥ１９０ｂを捜してビーム１３０ａ〜１３０ｇのスイーピングの周波数を増加させてよい。いくつかの実施形態では、基地局１００は、ビーム１３０ｃ〜１３０ｅのビーム角の縮小したセットで、人物１２０ｂに極めて近接してビームスイープを実施してもよい。ビーム角の縮小したセットは、基地局１００による伝送および／または受信のために利用可能なビーム角の全セットのうちのサブセットであってもよい。
【００２７】
さらに図１を参照すると、いくつかの実施形態では、基地局１００は、セル１１０のエッジにいる人物１２０ａを認識してもよく、および／または人物１２０ａが隣接するセルまたは隣接する地理的エリアから経路１７０で最近到着したことを認識してよい。人物１２０ａがセル１１０に新たに到着しそうなことを検出する場合、基地局１００は、人物１２０ａがそのセルにＵＥまたは他のモバイルデバイスを持ってくるだろうという見解を用いて人物１２０ａの付近全体をスキャンしてもよい。このようにして、基地局１００は、従来の方法を使用する場合よりもより迅速に、ＵＥ１９０ａを登録してＵＥ１９０ａとの通信を開始してよい。ＵＥを登録することは、基地局の通信範囲内の現在のＵＥの基地局リストに追加および／またはそれを修正することを含んでよい。
【００２８】
いくつかの実施形態では、基地局１００は、セル１１０の境界近くにいて、かつセル１１０外の場所へと通じる経路１８０を移動する可能性がある人物１２０ｅを認識してよい。基地局は、別の基地局へのハンドオーバを実施するか、ＵＥに対する電力を増加させるか、またはビームスイーピングの周波数を変更することによって対応してよい。
【００２９】
図２は、１つまたは複数のＵＥと通信している基地局を含む無線通信システムでのセルを示す。図２は図１に類似しているが、図１に関して述べられるようなセルラーネットワークのセル１１０の代わりに、基地局は、部屋、建物またはその他の場所の中にある場合がある。図１に関連して記載される実施形態および／または概念は、図２の実施形態および／または概念に適用される。ここで図２を参照すると、基地局１００によってサービングされる部屋１１５または建物の他のエリアが示されている。部屋は、人物が部屋に出入りするのに使用することがあるドア１５０ａおよび１５０ｂを含むことがある。基地局１００は、ドア１５０ａおよび／または１５０ｂが部屋１１５に出入りする人物１２０ｆ〜１２０ｊによって使用されるといった理解に基づいてスキャンすることを決定してもよい。具体的には、人物１２０ｆが基地局１００によって新たに検出される場合、人物１２０ｆに関連付けられる可能性のあるＵＥを登録するために人物１２０ｆの近くでビームスイープを行ってよい。同様に、人物１２０ｊが、自身に関連付けられて以前に登録されたことのあるＵＥ１９０ｊを有する場合、ドア１５０ｂの近くの人物１２０ｊの基地局による検出は、人物１２０ｊが基地局１００によってサービングされるエリアを離れることを示してよい。基地局は、別の基地局へのハンドオーバを実施することで対応してよい。したがって、基地局は人物の検出および／または認識を使用して、人物の予想される動作に基づいて、より多くの情報に基づいたハンドオーバを決定してもよい。
【００３０】
図３〜１８は、無線通信システムでユーザ端末１９０と通信するための図１および／または図２の基地局１００による動作のフローチャートである。図３をここで参照すると、ブロック３００で、図１および／または図２の基地局１００は、図１および／または図２のＵＥ１９０ａ〜１９０ｊのいずれかとの通信を必要とすることがある。ブロック３１０で、人物は、基地局によってサービングされている地理的エリア内で検出されてよい。ブロック３２０で、基地局は、基地局によってサービングされている地理的エリア内の人物を検出することに応じてＵＥと通信してよい。ＵＥは、基地局によってサービングされている地理的エリア内の人物と関連付けられてよい。いくつかの実施形態では、ＵＥは、人物に対して登録されてよい。すなわち、同じＵＥが、長期間同じ人物と関連付けられてよい。特定の人物の検出により、基地局によってサービングされている地理的エリア内の特定のＵＥの存在を示すことができるので、基地局がセットアップしてＵＥとの通信ができるまでの速度を向上するために、この情報は基地局によって使用されてよい。人物に対するＵＥの登録は、基地局とＵＥの間に通信チャネルをセットアップすることを含んでもよい。基地局は、メモリ内でローカルに記憶された登録情報を有するか、またはＵＥが人物に対して登録されていることを示すネットワークプロバイダから情報を受信してもよい。いくつかの実施形態は、基地局によってサービングされている地理的エリア内の人物を検出すること、およびその検出に応じるようにして、基地局とＵＥとの間を通信することを含む。
【００３１】
図４をここで参照すると、ブロック３１０での基地局によってサービングされている地理的エリア内の人物を検出することは、ブロック４１０で、基地局によってサービングされている地理的エリア内にいる人物を認識する画像認識を実施することを含む。地理的エリア内の人物を認識することは、人間がエリア内にいるという大まかな検出を含むか、および／または特定の人間を認識することを伴ってもよい。画像認識は、画像認識プロセスで使用された画像をデジタルカメラにキャプチャさせることを含んでもよい。いくつかの実施形態では、人物がベイステーションによってサービングされている地理的エリア内にいることを特定するために、画像認識は、レーザー認識、超音波イメージング、レーダーイメージング、および／または熱感知認識を実施することを含んでよい。画像認識はまた、人間の存在を特定するか、または顔の構造に基づいて特定の人間を特定する顔認識を含んでもよい。
【００３２】
図５をここで参照すると、ブロック５１０で、ＵＥとの通信は、画像認識によって認識された人物に極めて近接したエリアにあるＵＥをスキャンすることを含んでもよい。いくつかの実施形態では、ブロック５２０で、スキャンによって検出されたＵＥは人物に関連付けられてよい。ＵＥを人物と関連付けることは、ＵＥの登録、接続セットアップおよび／またはネットワーク接続プロシージャを含んでもよい。
【００３３】
図６をここで参照すると、ブロック５２０でＵＥを人物と関連付けることは、ブロック６１０で、ＵＥと基地局との間の通信のための接続を確立することを含んでもよい。ブロック６２０では、確立された接続は人物に関連付けられてよい。接続は、４Ｇ／ＬＴＥ／５Ｇのプロトコルなどを使用してリンクを確立することを含んでもよい。このようにして、基地局は、特定された人物と関連付けられた１つまたは複数のＵＥを明確に特定する。ＵＥを特定することは、日常的に人物に関連付けられるか、および／または人物によって使用されるＵＥに関する情報である、例えばＩＭＩＥ、ＭＡＣアドレスなどを含むデータベースに、基地局がアクセスすることを含む。基地局は、特定された人物と、１つまたは複数のＵＥを明確に関連付ける。
【００３４】
図７をここで参照すると、ブロック５１０でのＵＥをスキャンすることは、ブロック７１０で、認識された人物に極めて近接したエリアでビームスイープを実施することを含んでもよい。人物に極めて近接したビームスイープは、ビームのサブセットを含んでよく、そのビームの角度は、認識された人物の場所の近くに対応する。
【００３５】
図８をここで参照すると、図５のブロック５１０でのＵＥをスキャンすることは、ブロック８１０で、基地局によってサービングされているエリアの従来のビームスイープの周波数よりも高い周波数で、認識された人物に極めて近接したエリアでのビームスイープの実施を含んでよい。すなわち、ＵＥが人物の近くにある可能性があるときに、ビームスイープはより頻繁に実施されてよい。いくつかの実施形態では、ビームスイープは、基地局による伝送および／または受信のために利用可能なビーム角のフルセットから、人物に極めて近接したエリアに対応するビーム角に縮小したセットで実施されてよい。すなわち、基地局のカバレッジエリア全体のスイーピングの代わりに、認識された人物に極めて近接したエリアがスイープされる。カバレッジエリア全体のスイーピングをしないことで電力が節約され、かつより小さいカバレッジエリアがスイープされるために接続の確立の遅延を低減することができるので、この縮小したビームスイープには効率を向上させる効果がある。
【００３６】
図９をここで参照すると、ブロック９１０で、一旦人物が認識されると、その人物が人物に関連付けられた登録済みＵＥを所持していないと判断される場合がある。いくつかの実施形態では、ＵＥをスキャンすることは、人物がその人物に関連付けられた登録済みＵＥを所持していないと判断することに応じて行われてよい。
【００３７】
図１０をここで参照すると、無線通信システムは、第１基地局、および隣接するセル、部屋、建物またはその他の隣接する場所にある第２基地局を含んでもよい。ブロック１０１０で、認識された人物が、第１基地局によってサービングされている地理的エリアを離れると判断される場合がある。この場合、ブロック１０２０で、第１基地局とは異なる、隣接する第２基地局へ、ハンドオーバが実施されてよい。このハンドオーバは、その人物が第１基地局によってサービングされている地理的エリアを離れると判断することに応じて行われてよい。
【００３８】
図１１をここで参照すると、図１０のブロック１０１０の、人物が第１基地局によってサービングされている地理的エリアを離れると判断することは、ブロック１１１０で、人物が基地局によってサービングされている地理的エリア内にいると認識する画像認識の実施を含んでよい。基地局は、ブロック１１２０で、認識された人物の移動の方向、移動の角度、および／または速度を判断してよい。ブロック１１２０での判断に基づいて、ブロック１１３０で、基地局は、人物が第１基地局によってサービングされている地理的エリアを離れると推定してもよい。
【００３９】
図１２をここで参照すると、図１１のブロック１１３０での人物が地理的エリアを離れると推定することは、ブロック１２１０で、１人または複数人の他の人物およびそれぞれのデバイスに関連したデータに基づく機械学習を適用することによって、人物が地理的エリアを離れると予測することを含んでよい。図１に示されているようないくつかの実施形態では、人物はセル１１０外の場所へと通じる経路１８０を移動する場合がある。基地局は、機械学習を使用して、人物に関連付けられたＵＥが、基地局のカバレッジゾーン外の地理的エリアに向かっていることを予測してもよい。機械学習は、明示的にプログラムされることなく、経験から機械的に学習および改善する能力をシステムに提供する人工知能（Artificial  Intelligence：ＡＩ）のアプリケーションである。機械学習は、データにアクセスして、それを使用して自身で学習できるコンピュータプログラムの発展を目的としている。基地局は、ユーザおよび／またはＵＥがセルを離れると予測するために、以前に、セルのエッジ近辺の類似する場所で、類似の速度で移動し、類似の方向にいた人物および／またはＵＥからのデータを使用してもよい。この場合、基地局は、別のセルへの移動時に通信品質が劣らないように、隣接するセルへのハンドオーバを先制して実施してもよい。
【００４０】
いくつかの実施形態では、基地局は、人物および／またはＵＥを長時間見えなくさせるセルまたは建物内の特定の場所を学習してもよい。これらの場所に対して、基地局は学習した経験に基づいて予防的に別の基地局へハンドオーバしてもよい。例えば、セルの中の公園のベンチは、基地局のイメージセンサがベンチに座っている人物を認識するのを遮るか、および／または通信信号がベンチのあるエリアに到達するのを遮る木々に囲まれている場合がある。基地局が、ベンチに向かって歩いていた人物を見失う場合、この人物および／またはＵＥの以前の行動に基づいて、この人物および／またはＵＥが、長時間にわたって公園のベンチの場所にとどまることになるだろうと予測して、基地局は別の基地局へのハンドオーバを実施してよい。
【００４１】
図１３をここで参照すると、図３のブロック３１０の基地局によってサービングされている地理的エリア内の人物を検出することは、ブロック１３１０で、人物が基地局によってサービングされている地理的エリア内にいることを特定するために、レーザー認識、超音波イメージング、レーダーイメージング、および／または熱感知認識のうち少なくとも１つを実施することを含んでよい。画像が、キャプチャされて、次いで、画像認識プロシージャを実施してその画像で人物を見つけるために使用されてよい。画像認識技術の包括的でないリストが記載されているが、顔認識、人物認証などの他の技術が、記載された進歩性を備えた概念において適用されてよい。
【００４２】
人物の検出後に、基地局がＵＥと通信する場合に、基地局が人物を見失うか、および／またはＵＥとの通信を失う可能性があり得る。図１４をここで参照すると、基地局とＵＥとの間の通信の後に、ブロック１４１０で、基地局が、基地局によってサービングされている地理的エリア内に人物がもはやいないと特定することがある。基地局がそのサービスエリア内の人物を以前に認識していた可能性があるが、その後に、その人物がサービスエリア内にもはや存在しない場合がある。ブロック１４２０で、基地局は、人物が基地局によってサービングされている地理的エリア内にもはやいないと特定した後に、タイムアウトをセットしてもよい。いくつかの実施形態では、基地局は、タイムアウト期間が満了する前に、地理的エリア内の人物を再検出するか、または次いで認識してもよい。このことを行う場合、ブロック１４３０で、基地局は、人物が基地局によってサービングされている地理的エリアを出ていないという判断をしてもよく、かつ、以前に確立した接続を使用して、ＵＥとの通信を続けてもよい。タイムアウトの満了に基づいて、ブロック１４４０で、基地局は、人物が基地局によってサービングされている地理的エリアを出たと判断してもよい。この場合、ブロック１４５０で、基地局は、人物が基地局によってサービングされている地理的エリアを出たと判断するとすぐに、ＵＥとの通信を中断してよい。
【００４３】
図１５をここで参照すると、ブロック１５１０で、タイムアウト期間の満了の前に、基地局は、従来のビームスイープの周波数よりも高い周波数で地理的エリアのビームスイープを実施してもよい。このビームスイープは、基地局によってカバーされる範囲に相当する部分にわたって行われるか、または先だって知られている人物および／またはＵＥの場所の近くのビーム角の縮小したセットにわたるものであってもよい。
【００４４】
図１６をここで参照すると、図１４のブロック１４３０での人物が基地局によってサービングされている地理的エリアを出ていないと判断することは、ブロック１６１０で、ビームスイープの実施を従来のビームスイープの周波数に減らすことを含んでもよい。すなわち、人物および／またはＵＥが基地局のカバレッジゾーンに依然としていると認識するとすぐに、従来のビームスイーピングが続けられてＵＥとの通信を継続してもよい。
【００４５】
図１７をここで参照すると、図１４のブロック１４４０の、人物が地理的エリアを出たと判断することは、ブロック１７１０で、１人または複数人の他の人物が基地局によってサービングされている地理的エリア内にいるかどうかを判断することを含んでもよい。その地理的エリアに人がいない場合、ブロック１７２０で、基地局はサービングするＵＥがない可能性があり、この場合、基地局は、スリープモードに選択的に設定されてよい。このスリープモードは、ビームスイープを実施しなくてもよいので、基地局の伝送部および／または受信部の電力を節約する。基地局は、基地局によってサービングされている地理的エリア内で人物を検出するとすぐに、起動して、動作を続けてもよい。基地局は、地理的エリアに人がいないと検出する場合は、スリープモードに直ちに設定されてよい。いくつかの実施形態では、基地局は、一定期間待った後に、スリープモードに設定されてもよい。
【００４６】
図１８をここで参照すると、図３のブロック３２０のように、ＵＥと通信することは、ブロック１８１０で、画像認識から識別されるパラメータに基づいて、ＵＥと通信するための基地局のアンテナ構成を選択することを含んでもよい。画像認識は、人物の顔認識または身体姿勢認識も含んでよい。基地局からの距離および人物の場所に対する通信の角度などのパラメータが、測定されるか、計算されるか、あるいは判断されてよい。人物の顔および／または身体姿勢の場所を含む詳細な画像認識が、アンテナ選択プロセスへの入力を提供してもよい。例えば、人物が部屋の中で座っていて、動きそうにないと認識される場合、ＭＩＭＯアンテナの数が減らされてもよい。このように、より少ない数のＭＩＭＯアンテナを使用することができ、フェージングおよびシンボル間干渉がより少なくなる可能性がある。人物が動いているかどうかは、画像認識によって判断されてよい。人物が動いていると判断される場合、より広いビーム角度が必要であってよく、および／または多数のアンテナまたはより大きな伝送／受信電力が必要であってもよい。これらの技術により、電力効率および／または通信システムのスペクトル効率を向上する。
【００４７】
図１９は、無線電子デバイス１９００のブロック図である。無線電子デバイスは、無線通信システムで、図１または図２の基地局１００と関連付けられてよい。無線電子デバイスは、基地局１００とは別個であるか、基地局１００と同じ場所に配置されるか、または基地局１００と統合されてもよい。無線電子デバイス１９００は、本明細書に開示されている１つまたは複数の実施形態に従って動作を実行するように構成されたアンテナモジュールを含んでもよい。図１９を参照すると、無線電子デバイス１９００は、無線トランシーバ回路１９３０、プロセッサ回路１９０２、およびコンピュータ可読プログラムコード１９１２を含んでいるメモリ回路１９１０を含む。プロセッサ回路１９０２は、１つまたは複数のネットワークにわたって連結または分散されることがある、汎用および／または専用プロセッサである、例えば、マイクロプロセッサおよび／またはデジタル信号プロセッサなどの、１つまたは複数のデータ処理回路を含んでよい。プロセッサ回路１９０２は、メモリ１９１０内のコンピュータ可読プログラムコード１９１２を実行して、無線電子デバイス１９００によって実施されるような本明細書で記載される動作および方法の少なくともいくつかを実施するように構成されてよい。アンテナ装置１９４０が、信号伝播のために使用されてよい。ネットワークインタフェース１９２０は、プロセッサ回路１９０２と連結されて、直接または間接的に、図１または図２のＵＥ１９０ａ〜１９０ｊと通信する。
【００４８】
図２０は、いくつかの実施形態に従って本明細書にて開示したような動作を実施するアンテナモジュール用のモジュールを示す。モジュールは、人物検出モジュール２０１２、通信モジュール２０１６、画像認識モジュール２０２０、および／またはビームスイープモジュール２０２４を含む。人物検出２０１２は、人物検出を実施する（図３のブロック３１０）ためのものである。通信モジュール２０１６は、ＵＥと通信する（図３のブロック３２０）ためのものである。画像認識モジュール２０２０は、基地局によってサービングされている地理的エリア内の人物の画像認識を実施するためのものである。ビームスイープモジュール２０２４は、使用されるビーム、およびＵＥをスキャンする際のビームのスイーピングの周波数を制御するためのものである。モジュール２０１２、２０１６、２０２０および２０２４は、本明細書に開示される他の対応する動作および方法を実施する。
【００４９】
本明細書に提示される種々の実施形態は、基地局とＵＥとの間の無線通信の改良された方法について説明した。特に、基地局によってサービングされているエリアで人物が検出されて、通信を改善することができ、かつＵＥの基地局への接続の遅延を低減することができる。これは、人物の画像認識を使用して、また無線通信用のビームのより賢明な選択のために画像認識を使用することで達成することができる。本明細書に記載されている技術は、シグナリングオーバーヘッドを低減し、および／またはデバイス間のデータ接続セットアップの遅延を低減することが可能である。本明細書に記載された実施形態は５Ｇシステムのコンテキストでのものであるが、これらの技術は、３Ｇおよび４Ｇ通信システムなどの他の従来の通信システムならびに他の高周波通信技術に適用することができる。
【００５０】
〔さらなる定義〕
本開示の種々の実施形態の上記記載において、本明細書で使用される用語は、特定の態様を説明するためのみにあって、本発明を限定することを意図していないことを理解すべきである。特に定義されない限り、本願明細書に使用されるすべての用語（専門的および科学的な用語を含む）は、本開示が属する当業者によって一般に理解されているのと同じ意味を有する。例えば、一般に使用されている辞書で定義されているような用語は、明示的に本明細書で定義されない限り、本明細書および関連する技術の文脈におけるそれらの意味に合致する意味を有すると解釈されるべきであり、完全なものとして描写されている、または過度に形式的な意味であると解釈されないこともさらに理解されよう。
【００５１】
構成要素が、別の構成要素に「接続される」、「連結される」、「応答する」またはそれらの変形で言及される場合に、その構成要素は、その他の構成要素に、直接接続され、連結され、または応答することができるか、または介在要素が存在する場合がある。対照的に、別の構成要素に「直接接続される」、「直接連結される」、「直接応答する」またはそれらの変形で言及される場合は、介在要素は存在しない。同じ番号は全体を通して同じ要素を示す。さらに、「連結される」、「接続される」、「応答する」またはそれらの変形を本明細書で使用する場合、無線で連結され、無線で接続され、または無線で応答することを含むことがある。本発明で使用する場合、文脈上特に明記されていない限り、単数形「ａ」、「ａｎ」および「ｔｈｅ」は、同様に複数形を含むことも意図する。周知の機能または構造は、簡潔および／または明瞭であるために詳述しない場合がある。用語「および／または」は、関連する記載された項目のうち１つまたは複数のあらゆる組合せを含む。
【００５２】
本発明で使用する場合、用語「含む（ｃｏｍｐｒｉｓｅ、ｃｏｍｐｒｉｓｉｎｇ、ｃｏｍｐｒｉｓｅｓ）」、「含む（ｉｎｃｌｕｄｅ、ｉｎｃｌｕｄｉｎｇ、ｉｎｃｌｕｄｅｓ）」、「有する（ｈａｖｅ、ｈａｓ、ｈａｖｉｎｇ）」、またはそれらの変形は、状況に応じて変更可能であり、かつ１つまたは複数の一定の特徴、完全体、要素、工程、構成要素または機能を含むが、１つまたは複数の他の特徴、完全体、要素、工程、構成要素、機能またはそれらのグループの存在または追加を除外するものではない。さらに、本発明で使用する場合、ラテン語の語句「例えば（ｅｘｅｍｐｌｉ  ｇｒａｔｉａ）」に由来する一般的な略語「例えば（ｅ．ｇ．）」は、前もって言及された項目の一般的な例または諸例を紹介または明示するために使用される場合があり、かかる項目を限定することを意図するものではない。ラテン語の語句「すなわち（ｉｄ  ｅｓｔ）」に由来する一般的な略語「すなわち（ｉ．ｅ．）」は、より一般的な詳説から特定の項目を明示するために使用される場合がある。
【００５３】
例示的実施形態が、コンピュータ実行方法、装置（システムか、デバイス、あるいはその両方）、および／または、コンピュータプログラム製品のブロック図か、フローチャート図、あるいはその両方を参照して本明細書に記載される。ブロック図および／またはフローチャート図のブロック、およびブロック図および／またはフローチャート図内のブロックの組合せが、１つまたは複数のコンピュータ回路によって実施されるコンピュータプログラム命令によって実行することができるものと理解される。これらのコンピュータプログラム命令は、汎用コンピュータ回路、専用コンピュータ回路および／またはその他のプログラマブルデータ処理回路のプロセッサ回路に備えられて、機構を形成してもよく、この場合、ブロック図および／またはフローチャートのブロックまたは諸ブロックで規定される機能／作用を実行するかかる回路の中で、コンピュータおよび／またはその他のプログラマブルデータ処理装置のプロセッサを介して実行する命令は、トランジスタ、メモリ記憶装置に記憶される値、および他のハードウェアコンポーネントを変換および制御し、それによって、ブロック図および／またはフローチャートブロックまたは諸ブロックで規定される機能／作用を実行するための手段（機能性）および／または構造を構築する。
【００５４】
これらのコンピュータプログラム命令はまた、コンピュータまたはその他のプログラマブルデータ処理装置に特定の方式で機能するように命ずることができる有形のコンピュータ可読媒体に記憶されてもよく、このコンピュータ可読媒体に記憶される命令は、ブロック図および／またはフローチャートのブロックまたは諸ブロックで規定される機能／作用を実行する命令を含む製品を作り出すものである。
【００５５】
有形、非一時的なコンピュータ可読媒体としては、電気、磁気、光学、電磁、または半導体のデータ記憶システム、装置もしくはデバイスを挙げてよい。コンピュータ可読媒体のより具体的な例としては、ポータブルコンピュータディスケット、ランダムアクセスメモリ（Random  Access  Memory：ＲＡＭ）回路、読取り専用メモリ（Read-Only  Memory：ＲＯＭ）回路、消去可能プログラマブル読取り専用メモリ（Erasable  Programmable  Read-Only  Memory：ＥＰＲＯＭまたはフラッシュメモリ）回路、ポータブルコンパクトディスク読取り専用メモリ（Compact  Disc  Read-Only  Memory：ＣＤ−ＲＯＭ）、およびポータブルデジタルビデオディスク読取り専用メモリ（Digital  Video  Disc：ＤＶＤ／ＢｌｕｅＲａｙ）を含む。
【００５６】
コンピュータプログラム命令はまた、コンピュータおよび／またはその他のプログラマブルデータ処理装置にロードされて、コンピュータおよび／またはその他のプログラマブル装置上で一連の動作ステップを実施させて、コンピュータ実行プロセスを作り出してもよく、ここで、コンピュータまたはその他のプログラマブル装置上で実行するこの命令は、ブロック図および／またはフローチャートのブロックまたは諸ブロックで規定される機能／作用を実行するためのステップを提供するようなものである。したがって、本開示の実施形態は、「回路」「モジュール」またはそれらの変形で総称的に呼ばれることがあるデジタル信号プロセッサなどのプロセッサで動作するハードウェアおよび／またはソフトウェア（ファームウェア、常駐ソフトウェア、マイクロコードなど）で具現化されてよい。
【００５７】
本開示の態様が、本開示の実施形態に従う方法、装置（システム）、およびコンピュータプログラム製品のフローチャート図および／またはブロック図を参照して本明細書に記載されている。フローチャート図および／またはブロック図の各ブロック、およびフローチャート図および／またはブロック図内のブロックの組合せが、コンピュータプログラム命令によって実行され得ることを理解されたい。これらのコンピュータプログラム命令は、汎用コンピュータ、専用コンピュータ、またはその他のプログラマブルデータ処理装置のプロセッサに備えられて、機構を形成してよく、この場合、コンピュータまたはその他のプログラマブル命令実行装置のプロセッサを介して実行するこの命令は、フローチャートおよび／またはブロック図のブロックまたは諸ブロックで規定される機能／作用を実行するためのメカニズムを作り出すようなものである。これらのコンピュータプログラム命令はまた、実行されると、コンピュータ、その他のプログラマブルデータ処理装置またはその他のデバイスに特定の方式で機能するように命じることができるコンピュータ可読媒体に記憶されてもよく、コンピュータ可読媒体に記憶されるときにこの命令は、実行されると、コンピュータに、フローチャートおよび／またはブロック図のブロックまたは諸ブロックで規定される機能／作用を実行させる命令を含む製造物品を作り出すようなものである。コンピュータプログラム命令はまた、コンピュータ、その他のプログラマブル命令実行装置またはその他のデバイスにロードされて、コンピュータ、その他のプログラマブル装置、またはその他のデバイス上で一連の動作ステップを実施させて、コンピュータ実行プロセスを作り出してもよく、コンピュータまたはその他のプログラマブル装置上で実行するこの命令は、フローチャートおよび／またはブロック図のブロックまたは諸ブロックで規定される機能／作用を実行するためのプロセスを提供するようなものである。
【００５８】
図中のフローチャートおよびブロック図は、本開示の種々の態様に従う、システム、方法およびコンピュータプログラム製品の可能な実装形態の構成、機能性、および動作を示している。この点に関しては、フローチャートまたはブロック図の各ブロックは、規定された論理的機能を実行するための１つまたは複数の実行可能命令を含むコードのモジュール、セグメント、または部分を表すことがある。また、いくつかの代替の実装形態では、ブロックに記載された機能が、図中に記載された順序以外で行われてもよいという点にも留意すべきである。例えば、関係する機能性によって、連続して示される２つのブロックが、実際には、実質的に同時に実行されるか、またはその２つのブロックが時には逆順で実行されてもよい。ブロック図および／またはフローチャート図の各ブロック、およびブロック図および／またはフローチャート図内のブロックの組合せが、特定の機能または作用、もしくは専用ハードウェアおよびコンピュータ命令の組合せを実施する専用ハードウェアベースシステムによって実行され得る点にも注意されたい。
【００５９】
また、いくつかの代替の実装形態では、ブロックに記載された機能／作用が、フローチャートに記載された順序以外で行われてもよいという点にも留意すべきである。例えば、関係する機能性／作用によって、連続して示される２つのブロックが、実際には、実質的に同時に実行されるか、またはその２つのブロックが時には逆順で実行されてもよい。さらに、フローチャートおよび／またはブロック図の所与のブロックの機能性は、複数のブロックに分割されてもよく、および／または、フローチャートおよび／またはブロック図の２つ以上のブロックの機能性が、少なくとも部分的に統合されてもよい。最後に、他のブロックが、例示されているブロック間に追加／挿入されてよい。さらには、ダイアグラムのいくつかが、通信の主要な方向を示す通信経路の矢印を含むが、この通信は、記載された矢印とは反対方向でも発生することがあることも理解すべきである。
【００６０】
多くの様々な実施形態が、上記の説明および図面と共に本明細書にて開示された。これらの実施形態のあらゆる組合せおよび副組合せを文字通りに説明し、例示するために、過度に繰り返され、不明瞭となることが理解されよう。したがって、図面を含む本願明細書は、実施形態の種々の例示的組合せおよび副組合せ、ならびにそれらを作成し使用する方式およびプロセスの完全な説明文を構成すると解釈されるものであり、このような任意の組合せまたは副組合せに対する特許請求の範囲を補助するものとする。多数の変更および修正が本発明の原理から実質的に逸脱することなく、実施形態に対して行うことができる。すべてのこのような変更および修正は、本発明の範囲内で、本明細書に含まれることが意図されるものである。
【図１】
2020530727.tif 000003
【図２】
2020530727.tif 000004
【図３】
2020530727.tif 000005
【図４】
2020530727.tif 000006
【図５】
2020530727.tif 000007
【図６】
2020530727.tif 000008
【図７】
2020530727.tif 000009
【図８】
2020530727.tif 000010
【図９】
2020530727.tif 000011
【図１０】
2020530727.tif 000012
【図１１】
2020530727.tif 000013
【図１２】
2020530727.tif 000014
【図１３】
2020530727.tif 000015
【図１４】
2020530727.tif 000016
【図１５】
2020530727.tif 000017
【図１６】
2020530727.tif 000018
【図１７】
2020530727.tif 000019
【図１８】
2020530727.tif 000020
【図１９】
2020530727.tif 000021
【図２０】
2020530727.tif 000022
【国際調査報告】
2020530727.tif 000023
2020530727.tif 000024
2020530727.tif 000025
2020530727.tif 000026
2020530727.tif 000027